(57)【要約】      （修正有）【課題】球速計算の正確性を向上させることができる投球練習機を提供する。【解決手段】投球練習機は、フレームユニットと、Ｘ軸光電センサーユニットと、Ｙ軸光電センサーユニットと、制御ユニット４と、ストッパーユニット５とからなっている。前記構成による投球練習機は、フレームユニットを前後両枠体１１．１２が所定間隔を隔てて前後接続されるように改良することにより、該前後両枠体それぞれに設置されているＸ軸光電センサーユニット２とＹ軸光電センサーユニット３との間の距離が従来より長くなるので、球速が速い時にも誤差が小さくて球速を正確的に計算することができる。【選択図】図１
0003108689.tif 000002
【実用新案登録請求の範囲】
【請求項１】
それぞれ左右方向に延伸している上下２の横ロッドと上下方向に延伸している左右２の縦ロッドとから四方形に形成された前後両枠体が所定間隔を隔てて前後接続されてなるフレームユニットと、
前記前枠体の上下２の横ロッドの一方に複数の発光素子が、他方に複数の受光素子が各々互いに対向しながら前記左右方向に沿ってボールの直径より小の等間隔に設置されていて、通電されるとＸ軸センサーゾーンに構成されるＸ軸光電センサーユニットと、
前記後枠体の左右２の縦ロッドの一方に複数の発光素子が、他方に複数の受光素子が各々互いに対向しながら前記上下方向に沿ってボールの直径より小の等間隔に設置されていて、通電されるとＹ軸センサーゾーンに構成されるＹ軸光電センサーユニットと、
前記フレームユニットと別に設置され、前記Ｘ軸光電センサーユニットとＹ軸光電センサーユニットに電気的に接続されていて前記Ｘ軸光電センサーユニットのＸ軸センサーゾーンとＹ軸光電センサーユニットのＹ軸センサーゾーンとの検出信号に基づきストライクかボールかの判定を行うと共に球速を計算する制御部と、前記制御部に電気的に接続されていて前記制御部により算出されたストライク数、ボール数、球速を表示する表示部とからなる制御ユニットと、
前記フレームユニットの後枠体から後へ延出している左右両支持枠と、前記左右両支持枠に支持されて前記フレームユニットを後側から囲んでいて投げてきたボールの飛散を防ぐネットとからなるストッパーユニットとを備えていることを特徴とする投球練習機。
【請求項２】
前記ストッパーユニットの左右両支持枠は前記後枠体の左右２の縦ロッドに対向に折畳み可能に枢設されていることを特徴とする請求項１に記載の投球練習機。
【請求項３】
前記ストッパーユニットのネットは、前記左右両支持枠で内側から支持されながら該左右両支持枠を後面から覆っている後面部と、該後面部から前方へ前記フレームユニットの上側及び左右両側までに延在している囲い部とからなることを特徴とする請求項２に記載の投球練習機。
【請求項４】
前記制御ユニットは他の独立した支持台に設置されていることを特徴とする請求項３に記載の投球練習機。
【考案の詳細な説明】
【技術分野】
【０００１】
本考案は、投球の楽しみを体験しながら投球技能を訓練することができる投球練習機に関する。
【背景技術】
【０００２】
野球、ソフトボールなどは、多数の人が広い空地に投球したり打撃したり走塁したりして、人々に熱気が溢れる感じを十分に与える運動であって、従来から広く歓迎されている。近年、狭い空間に、例えば自宅の庭または室内にも投球、打撃の楽しみを享受することができるように、屋内に設置可能な投球用または打撃用の練習機が生まれている。図６に示すのは従来の投球練習機６であり、主としてフレームユニット６１と、Ｘ軸光電センサーユニット６２と、Ｙ軸光電センサーユニット６３と、制御ユニット６４と、ストッパーユニット６５と、発声器６６とからなっている。フレームユニット６１は、左右方向に延伸している上下２の横ロッド６１１，６１２と上下方向に延伸している左右２の縦ロッド６１３，６１４とから四方形に形成された枠体６１０と、該枠体６１０の左右２の縦ロッド６１３，６１４から後へ延出している左右両支持枠６１５，６１５とを備えている。Ｘ軸光電センサーユニット６２は、枠体６１０の上下２の横ロッド６１１，６１２の互いに対向した内側面に、図示のように、上方の横ロッド６１１の内側面の後方寄りに複数の発光素子６２１が、下方の横ロッド６１２の内側面の後方寄りに複数の受光素子６２２が、各々互いに対向しながら、前記左右方向に沿ってボールの直径より小さい等間隔に設置されている。Ｙ軸光電センサーユニット６３は、枠体６１０の左右２の縦ロッド６１３，６１４の互いに対向した内側面に、図示のように、右方の縦ロッド６１３の内側面の前方寄りに複数の発光素子６３１が、左方の縦ロッド６１４の内側面の前方寄りに複数の受光素子６３２が、各々互いに対向しながら前記上下方向に沿ってボールの直径より小の等間隔に設置されている。前記Ｘ軸光電センサーユニット６２とＹ軸光電センサーユニット６３が通電されると、それぞれの発光素子６２１，６３１が対向の受光素子６２２，６３２に向けて光を放射してＸ軸センサーゾーンＩとＹ軸センサーゾーンＩＩを構成している。図示のように、Ｙ軸センサーゾーンＩＩとＸ軸センサーゾーンＩは、前後距離Ｄ１を隔てている。制御ユニット６４は、枠体６１０に設置されており、Ｘ軸光電センサーユニット６２とＹ軸光電センサーユニット６３に電気的に接続されている制御部６４１と、該制御部６４１に電気的に接続されている表示部６４２とからなる。該制御部６４１には、予めＸ軸センサーゾーンＩとＹ軸センサーゾーンＩＩにおける、ストライクゾーン及びボールゾーンとする位置関係のパラメーター及び球速測定用のプログラムがインストールされている。ストッパーユニット６５は、左右両支持枠６１５，６１５に支持されてフレームユニット６１を後側から囲んでいるネット６５１と、左右両支持枠６１５，６１５の間に垂直に設置されているスポンジ緩衝層６５２とを備えている。該スポンジ緩衝層６５２の前面に臨場感を増進するためのキャッチャー人形６５３が印刷されている。発声器６６は制御部６４１に電気的に接続されている。
【０００３】
通電状態にある前記従来の投球練習機６では、ボールを枠体６１０内に向けて投げると、ボールがＹ軸センサーゾーンＩＩ及びＸ軸センサーゾーンＩを先後に通過して、スポンジ緩衝層６５２に当たってそこで止められたり跳ね返ったりする。ボールが枠体６１０、特に前記前後距離Ｄ１を通過した瞬間、Ｙ軸センサーゾーンＩＩ及びＸ軸センサーゾーンＩを構成する光の一部を遮断するので、制御部６４１がＸ軸センサーゾーン及びＹ軸センサーゾーンの検出信号に基づき、投げられてきたボールの位置及び前記前後距離Ｄ１を通過するのにかかった時間を検知する。そして、予めインストールされたパラメーターからストライクかボールかの判定を行うと共に球速を計算することができ、検出結果を表示部６４２に表示しながら発声器６６によって放送することができる。このような従来の投球練習機６は、Ｘ軸、Ｙ軸光電センサーユニット６２，６３によってストライクかボールかの判定を正確的に行うことができる。しかしながら、球速測定の方に、Ｘ軸光電センサーユニット６２とＹ軸光電センサーユニット６３との間の設置距離（即ち前記距離Ｄ１）があまりに短いため、球速が速くなるほどＹ軸センサーゾーンＩＩ及びＸ軸センサーゾーンＩを通過するのにかかる時間が短くなり、誤差が大きくて球速を正確に計算することができない。
【考案の開示】
【考案が解決しようとする課題】
【０００４】
上記に鑑みて、本考案の目的は、球速計算の正確性を向上させることができる投球練習機を提供しようとするものである。
【課題を解決するための手段】
【０００５】
前記目的を達成するために、本考案は、それぞれ左右方向に延伸している上下２の横ロッドと上下方向に延伸している左右２の縦ロッドとから四方形に形成された前後両枠体が所定間隔を隔てて前後接続されてなるフレームユニットと、前記前枠体の上下２の横ロッドの一方に複数の発光素子が、他方に複数の受光素子が各々互いに対向しながら前記左右方向に沿ってボールの直径より小の等間隔に設置されていて通電されるとＸ軸センサーゾーンに構成されるＸ軸光電センサーユニットと、前記後枠体の左右２の縦ロッドの一方に複数の発光素子が、他方に複数の受光素子が各々互いに対向しながら前記上下方向に沿ってボールの直径より小の等間隔に設置されていて通電されるとＹ軸センサーゾーンに構成されるＹ軸光電センサーユニットと、前記フレームユニットと別に設置され、前記Ｘ軸光電センサーユニットとＹ軸光電センサーユニットに電気的に接続されていて前記Ｘ軸光電センサーユニットのＸ軸センサーゾーンとＹ軸光電センサーユニットのＹ軸センサーゾーンとの検出信号に基づきストライクかボールかの判定を行うと共に球速を計算する制御部と、前記制御部に電気的に接続されていて前記制御部により算出されたストライク数、ボール数、球速を表示する表示部とからなる制御ユニットと、前記フレームユニットの後枠体から後へ延出している左右両支持枠と、前記左右両支持枠に支持されて前記フレームユニットを後側から囲んでいて投げてきたボールの飛散を防ぐネットとからなるストッパーユニットとを備えていることを特徴とする投球練習機を提供する。
【考案の効果】
【０００６】
前記構成による投球練習機は、フレームユニットを前後両枠体が所定間隔を隔てて前後接続されてなるように改良することにより、該前後両枠体それぞれに設置されているＸ軸光電センサーユニットとＹ軸光電センサーユニットとの間の距離が従来より長くなるので、球速が速い時にも誤差が小さくて球速を正確的に計算することができる。
【考案を実施するための最良の形態】
【０００７】
以下、図１〜図５を参照しながら本考案の投球練習機の好ましい実施形態を詳しく説明する。図１と図２に示すように、この投球練習機は、フレームユニット１と、Ｘ軸光電センサーユニット２と、Ｙ軸光電センサーユニット３と、制御ユニット４と、ストッパーユニット５とからなっている。
【０００８】
フレームユニット１は、両枠体１１，１２が四つの連結部材１３（図中は三つだけ見える）で所定間隔を隔てて前後連結されている。該前後枠体１１，１２は、それぞれ、左右方向に延伸している上下２の横ロッド１１１，１１２，１２１，１２２と上下方向に延伸している左右２の縦ロッド１１３，１１４，１２３，１２４とから形成された四方形のものである。該フレームユニット１には四つのＬ形コーナーパッド１４が前後枠体１１，１２の四角と四つの連結部材１３とを覆っている。
【０００９】
Ｘ軸光電センサーユニット２は、前枠体１１の上下２の横ロッド１１１，１１２の互いに対向する内側面に、図示のように、下方の横ロッド１１２の内側面に複数の発光素子２１が、上方の横ロッド１１１の内側面に複数の受光素子２２が各々互いに対向しながら前記左右方向に沿ってボールの直径より小の等間隔に設置されているものである。該Ｘ軸光電センサーユニット２が通電されると、その発光素子２１が対向の受光素子２２に向けて光を放射してＸ軸センサーゾーン２０を構成することができる。
【００１０】
Ｙ軸光電センサーユニット３は、後枠体１２の左右２の縦ロッド１２３，１２４の互いに対向する内側面に、図示のように、左方の縦ロッド１２３の内側面に複数の発光素子３１が、右方の縦ロッド１２４の内側面に複数の受光素子３２が各々互いに対向しながら前記上下方向に沿ってボールの直径より小の等間隔に設置されているものである。該Ｙ軸光電センサーユニット３が通電されると、その発光素子３１が対向の受光素子３２に向けて光を放射してＹ軸センサーゾーン３０を構成することができる。図１に示すように、Ｘ軸センサーゾーン２０とＹ軸センサーゾーン３０とが前後に距離Ｄを隔てている。
【００１１】
制御ユニット４は、フレームユニット１と別に設置され、図１と図３のように、他の独立した支持台４４に取り付けられている。該制御ユニット４は、Ｘ軸光電センサーユニット２とＹ軸光電センサーユニット３に電気的に接続されている制御部４１と、制御部４１に電気的に接続されている表示部４２と発声部４３とからなっている。制御部４１には、予めＸ軸センサーゾーン２０とＹ軸センサーゾーン３０におけるストライクゾーン及びボールゾーンとする位置関係のパラメーター及び球速計算用のプログラムがインストールされている。また、支持台４４は制御ユニット４の底部に枢設されているので、使用時に図１のように床面に立つことができ、収納時に、図３の矢印方向のように制御ユニット４の底部に折畳まれることができる。
【００１２】
ストッパーユニット５は、左右両支持枠５１，５１とネット５２とからなっている。左右両支持枠５１，５１は、後枠体１２の左右２の縦ロッド１２３，１２４から後へ延出するようにＬ形コーナーパッド１４に枢設されている（図２と図４を参照）。このように、本投球練習機を収納しようとする時、前記左右両支持枠５１，５１を図５のようにフレームユニット１の後面に対向に折畳むことができる。ネット５２は、左右両支持枠５１，５１に支持されてフレームユニット１を後側から囲んでいて、投げられたボールの飛散を防ぐものであり、左右両支持枠５１，５１で内側から支持されながら該左右両支持枠５１，５１を後面から覆っている後面部５２１と、該後面部５２１から前方へ前記フレームユニット１の上側及び左右両側までに延在している囲い部５２２とからなっている。該ネット５２はズックで製作され、且つ、その後面部５２１のフレームユニット１に向いている前面に必要に応じて臨場感を増進するためのキャッチャーまたはバッターの人形を印刷することができる。
【００１３】
前記構成から分かるように、本投球練習機が通電状態にある時、前枠体１１のＸ軸光電センサーユニット２及び後枠体１２のＹ軸光電センサーユニット３がそれぞれＸ軸センサーゾーン２０及びＹ軸センサーゾーン３０を構成している。ボールをフレームユニット１内に向けて投げると、図１と図４に示すように、ボールが前後枠体１１，１２を先後に通過して、ネット５２の後面部５２１に当たってそこで止められたり跳ね返ったりする。ボールが前後枠体１１，１２を通過した瞬間、Ｘ軸センサーゾーン２０及びＹ軸センサーゾーン３０を構成する光の一部を遮断するので、制御部４１が遮光されたＸ軸センサーゾーン及びＹ軸センサーゾーンの検出信号に基づいて、投げられてきたボールの位置及び前記前後距離Ｄを通過するにかかった時間を検知する。そして、予めインストールされたパラメーターからストライクかボールかの判定を行うことができ、判定結果を表示部４２に表示することができる。表示部４２に「Ｓｔｒｉｋｅ」と表示されるとストライクを示し、「Ｂａｌｌ」と表示されるとボールを示し、「Ｗａｌｋ」と表示されると四球（即ちフォアボールで一塁へでること）を示し、「Ｏｕｔ」と表示されると三振を示す。また、制御部４１は投げられてきたボールがＸ軸センサーゾーン２０からＹ軸センサーゾーン３０までの距離（Ｄ）を通過するにかかった時間（Ｔ）を計測することにより、速度（Ｖ）＝Ｄ（距離）／Ｔ（時間）の定率に基づいて球速を計算することができると同時に表示部４２に表示することができる。最後に、発声部４３によって、制御部４１により測定された「Ｓｔｒｉｋｅ」、「Ｂａｌｌ」、「Ｗａｌｋ」、「Ｏｕｔ」などの判定結果と球速を放送することができる。
【産業上の利用可能性】
【００１４】
前記実施形態から分かるように、本考案は、フレームユニットを少々改良してＸ軸光電センサーユニットによるＸ軸センサーゾーン及びＹ軸光電センサーユニットによるＹ軸センサーゾーンとの間の距離を拡大することにより、誤差が従来より少なくなり且つ球速計算の正確性が向上する投球練習機を提供することができる。
【００１５】
以上説明した実施の形態は、あくまでも本考案の技術的内容を明らかにする意図においてなされたものであり、本考案はそうした具体例に限定して狭義に解釈されるものではなく、本考案の精神とクレームに述べられた範囲で、いろいろと変更して実施できるものである。
【図面の簡単な説明】
【００１６】
【図１】本考案の投球練習機の好ましい実施形態の斜視図
【図２】前記実施形態におけるフレームユニットの斜視図
【図３】前記実施形態における制御ユニットの斜視図
【図４】前記実施形態におけるフレームユニットの側面図
【図５】前記実施形態における左右両支持枠の折畳まれた時の状態図
【図６】従来の投球練習機の分解構成図
【符号の説明】
【００１７】
１        フレームユニット
１１      前枠体
１１１    横ロッド
１１２    横ロッド
１１３    縦ロッド
１１４    縦ロッド
１２      後枠体
１２１    横ロッド
１２２    横ロッド
１２３    縦ロッド
１２４    縦ロッド
１３      連結部材
１４      Ｌ形コーナーパッド
２        Ｘ軸光電センサーユニット
２０      Ｘ軸センサーゾーン
２１      発光素子
２２      受光素子
３        Ｙ軸光電センサーユニット
３０      Ｙ軸センサーゾーン
３１      発光素子
３２      受光素子
４        制御ユニット
４１      制御部
４２      表示部
４３      発声部
４４      支持台
５        ストッパーユニット
５１      左右両支持枠
５２      ネット
５２１    後面部
５２２    囲い部
【図１】
0003108689.tif 000003
【図２】
0003108689.tif 000004
【図３】
0003108689.tif 000005
【図４】
0003108689.tif 000006
【図５】
0003108689.tif 000007
【図６】
0003108689.tif 000008